(57)【要約】      （修正有）【課題】ネジ式キャスターの取り付け作業を簡便にするネジ締め工具。【解決手段】ネジ式キャスターのネジの六角頭に対応する口の二面幅とそれに続く柄３を直線的に構成し片口スパナ１とする。口をネジの六角頭に嵌合させたとき車輪支持金具の内側に挿入されて車輪の遊動を制御する板部分５とそれに続く帯状板６を直線的に構成し抑え板４とする。両者を所用の適切な間隔で正対並列に配し柄３の端で一体的に構成する。両者を締め付け解放する締め付け解放装置７を設け締め付け解放することによりスパナの口と抑え板４によってネジの六角頭に続くベアリング部分を自在に保持解放できる。【選択図】図２
2014054721.tif 000002
【特許請求の範囲】
【請求項１】
対象とするネジ式キャスターのネジの六角頭に対応する口の二面幅とそれに続く柄を直線的に構成して片口スパナとし、口をネジの六角頭に嵌合させたとき車輪支持金具の内側に挿入されて車輪の遊動を制御する板部分とそれに続く帯状板を直線的に構成して抑え板とする。両者を所用の適切な間隔で正対並列に配したことを特徴とするネジ式キャスター用スパナ。
【請求項２】
片口スパナの口の側面と帯状板によりネジの六角頭に続くベアリング部を挟み込み保持すること特徴とするネジ式キャスター用スパナ
【請求項３】
片口スパナの口の長さを適切に長くしたネジ式キャスター用スパナ。
【請求項４】
片口スパナの口を基準として柄からねじ締め付け方向９０度の方向の適切な位置にハンドルを設けたことを特徴とするネジ式キャスター用スパナ。
【発明の詳細な説明】
【技術分野】
【０００１】本発明はネジ式キャスターの取り付け作業を簡便にするネジ締め工具に関するものである。
【背景技術】
【０００２】ネジ式キャスターを製品に組み込むときネジの六角頭が非常に薄いため市販の薄型スパナを更に薄く研削したスパナや専用の薄型スパナを用いて手作業で締めていた。
【発明の開示】
【発明が解決しようとする課題】薄型スパナを使ってねじ式キャスターを締め込むときネジの六角頭と薄型スパナは共に薄くて外れ易く作業者にとってそれらはねじ式キャスターの車輪及び車輪支持金具の向こう側となるため更に外れ易い。そのうえ車輪支持金具の遊動が障害になり作業が行い難く非常に非効率であった。
【課題を解決する為の手段】
【０００４】対象とするネジ式キャスターのネジの六角頭に対応する口２の二面幅とそれに続く柄３を直線的に構成し片口スパナ１とする。口２をネジの六角頭に嵌合させたとき車輪支持金具の内側への滑らかな挿入と車輪支持金具の遊動を制御する機能を有する板部分５とそれに続く帯状板６を直線的に構成し抑え板４とする。両者を所用の適切な間隔で正対並列に配し柄３の端で一体的に構成する。但しこの並列は平行であることを要請してはいない。柄３と帯状板６の適切な位置に両者を締め付け開放が自在な締め付け開放装置７を設ける。
【０００５】この締め付け開放装置７は締め付け時ネジ式キャスターのネジの六角頭に続くベアリング部を挟んでスパナの口２と帯状板６との間に十分な圧力を生じる性能を有する．
【０００６】口２を基準に柄３からネジ締め回転９０度を基準とした方向にアーム８を出しハンドル９を設ける。９０°と言う方向は理論上の方向であり実施に当っては理論を基本とし適切な位置に設ける。これを含んで本発明の範囲である。
【０００７】ネジ緩めを重視した場合はネジ緩め回転９０度を基準とした方向にアームを出しハンドルを設けると効果的である。両方を重視する場合ば両方にハンドルを設ければより効果的である。これを含んで本発明の範囲である。
【０００８】板部分５と帯状板６は板及び帯状の板でなくても機能さえ果たせば自由な形状をとる事が出来る。板部分５と帯状板６は全ての形状を代表した名称で他の形状も特許の範囲内である。
【０００９】片口スパナ１と抑え板４を一体として構成すれば部品点数の少ない簡単な構造となる。
【０００１０】ネジ式キャスターとネジ込式キャスターはメーカーによる呼称の違いであり共に本特許の範囲内である。
【発明の効果】
【００１１】片口スパナ１は口２の二面幅に沿って挿入挿出が求められ抑え板４の板部分５は車輪支持金具の内側への挿入挿出が求められるので口２と柄３及び板部分５と帯状板６を各々直線的に構成し正対並列させたことによりネジ式キャスターへの着脱が非常に簡単にできる。
【００１２】ネジ式キャスターのベアリング部分を出来るだけ広く押えることが出来るように口２の長さを適切に長くすることにより外れ難く安定的に保持できる。
【００１３】板部分５は車輪支持金具の内側に位置しスパナの口２の位置よりかなり前方となるため非常に外れ難い構成となっている。
【００１４】口２を基準に柄３からネジ締め回りに９０°の方向にアーム８を出しハンドル９を設けたことによって締め付け時ハンドル９により生ずる曲げモーメントは柄３と押え板４に捩りが生じ難い方向となるため外れ難く故障の危険が少ない構成となる。さらにネジ締め時ハンドル９に働く力の方向は口２が食い込む方向のため非常に外れ難い。
【００１５】締付開放装置７にパッチン錠等ワンタッチ式を利用すれば更に効率的となる。片口スパナ１、抑え板４、パッチン錠等に弾性を有する材料で構成すればキャスターの保持に余裕度が生まれる。
【００１６】すなわち着脱容易で堅固な保持ができ滑らかな高回転高効率の作業ができ故障の少ない工具が実現できる。
【実施例１】
【００１７】対象とするネジ式キャスターのネジの六角頭に対応する口２の二面幅とそれに続く柄３を直線的に構成し片口スパナ１とする。口２をネジの六角頭に嵌合させたとき車輪支持金具の内側への滑らかな挿入機能と車輪支持金具の遊動を制御する機能を有する板部分５とそれに続く帯状板６を直線的に構成し抑え板４とする。両者を所用の適切な間隔で正対並列に配し柄３の端で柄３と帯状板６の端で間にゴム板１０を挟みボルト１１緩み止め付ナット１２で一体的に保持する。柄３と帯状板６の中間に両者を締め付け開放が自在な締め付け開放装置７を設ける。
この締め付け開放装置７は締め付け時ネジ式キャスターのベアリング部を挟んでスパナの口２と帯状板４との間に十分な圧力を生じる性能を有する．【００１８】ネジ式キャスターのベアリング部分を出来るだけ広く押えることが出来るように口２の長さを適切に長くする。【００１９】口２を基準に柄３からネジ締め回りに９０°の方向にアーム８を出し回転ハンドル９を設ける。
【実施例２】
【００２０】スパナ１と抑え板４を弾性を有する素材で一体化した構成のネジ式キャスター用スパナ
【図面の簡単な説明】
【００２１】
【図１】実施例１の平面図である。
【図２】実施例１の側面図である。
【図３】実施例１の低面図である。
【図４】実施例２の平面図である。
【図５】実施例２の側面図である。２点鎖線は対象とするネジ式キャスターの簡略図である。
【符号の説明】
【００２２】１．    片口スパナ
２．    口
３．    柄
４．    抑え板
５．    板部分
６．    帯状板
７．    締付解放装置
８．    アーム
９．    ハンドル
１０．  ゴム板
１１．  ボルト
１２．  緩み止め付ナット
１３．  ボルト
【図１】
2014054721.tif 000003
【図２】
2014054721.tif 000004
【図３】
2014054721.tif 000005
【図４】
2014054721.tif 000006
【図５】
2014054721.tif 000007